(57)【要約】【目的】輝度むらを抑えた表示を行うことが可能な表示装置を提供する。【構成】表示パネルと、走査信号を第１〜第ｎの走査線に供給するゲートドライバと、映像データ信号に対応する階調電圧信号を複数のデータ線に供給するデータドライバと、映像データ信号をデータドライバに供給する表示コントローラと、を有する。表示コントローラは、第１〜第ｎの表示データを、第ｋの表示データと第（ｎ＋１−ｋ）の表示データとからなる表示データ対毎に、所定の順序でデータドライバに供給する。ゲートドライバは、データドライバから第１〜第ｎの走査線の各々までの距離に応じて異なるパルス幅を有する走査信号を、所定の順序に対応する順序で複数の走査線に供給する。データドライバは、表示コントローラからの表示データ対の供給に応じて、階調電圧信号を複数のデータ線に供給する。【選択図】図１
2020003550.tif 000002
【特許請求の範囲】
【請求項１】
複数のデータ線と、第１〜第ｎの走査線（ｎは２以上の偶数）と、前記複数のデータ線と前記第１〜第ｎの走査線との交差部の各々に設けられた画素スイッチ及び画素部と、を有する表示パネルと、
パルス幅に応じた選択期間において前記画素スイッチをオンに制御する走査信号を前記第１〜第ｎの走査線に供給するゲートドライバと、
第１〜第ｎの走査線の各々に対応する第１〜第ｎの表示データからなる１フレーム分の映像データ信号を受け、前記映像データ信号に対応する階調電圧信号を前記複数のデータ線に供給するデータドライバと、
前記映像データ信号を前記データドライバに供給する表示コントローラと、
を有し、
前記表示コントローラは、前記第１〜第ｎの表示データを、第ｋの表示データと第（ｎ＋１−ｋ）の表示データとからなる表示データ対（ｋは１〜（１／２）ｎの整数）毎に、所定の順序で前記データドライバに供給し、
前記ゲートドライバは、前記データドライバから前記第１〜第ｎの走査線の各々までの距離に応じて異なるパルス幅を有する前記走査信号を、前記所定の順序に対応する順序で前記複数の走査線に供給し、
前記データドライバは、前記表示コントローラからの前記表示データ対の供給に応じて、前記階調電圧信号を前記複数のデータ線に供給することを特徴とする表示装置。
【請求項２】
前記所定の順序は、ｋ＝１からｋ＝（１／２）ｎまでｋの値が増加する順序であり、
前記ゲートドライバは、前記第１〜第ｎの走査線のうち前記表示パネルの外縁部に位置する走査線から前記表示パネルの中央部に位置する走査線に向かう順序で前記走査信号を供給する、
ことを特徴とする請求項１に記載の表示装置。
【請求項３】
前記表示コントローラは、１画面分の前記映像データ信号が供給される１フレーム期間内においてクロックパルスの間隔が段階的に短くなるように変化する変調クロック信号と、前記変調クロック信号を反転させた反転クロック信号と、を前記ゲートドライバに供給し、
前記ゲートドライバは、前記変調クロック信号及び前記反転クロック信号に基づいて、前記第１〜第ｎの走査線の各々までの距離に応じて異なるパルス幅を有する前記走査信号を生成する、
ことを特徴とする請求項１又は２に記載の表示装置。
【請求項４】
前記データドライバは、前記表示コントローラから供給された前記表示データを取り込むラッチ回路を有し、
前記ラッチ回路は、
前記表示コントローラから供給された前記表示データを取り込んで出力する第１ラッチ部と、
前記第１ラッチ部が出力した前記表示データのうち前記データドライバに近い側の走査線に対応する前記表示データを取り込む近端側ラッチ部と、前記データドライバから遠い側の走査線に対応する前記表示データを取り込む遠端側ラッチ部と、を有し、前記近端側ラッチ部が取り込んだ前記表示データと前記遠端側ラッチ部が取り込んだ前記表示データとを交互に出力する第２ラッチ部と、
前記第２ラッチ部が出力した前記表示データを取り込んで出力する第３ラッチ部と、
を有することを特徴とする請求項１乃至３のいずれか１項に記載の表示装置。
【請求項５】
前記ゲートドライバは、前記複数の走査線の各々に前記走査信号を供給するとともに、当該走査線に隣接する走査線に対してプリチャージを行うことを特徴とする請求項１乃至４のいずれか１に記載の表示装置。
【請求項６】
ゲートドライバ及びデータドライバを有する表示装置に接続され、前記ゲートドライバ及び前記データドライバを制御する表示コントローラであって、
第１〜第ｎの表示データからなる１フレーム分の映像データ信号を、第ｋの表示データと第（ｎ＋１−ｋ）の表示データとからなる表示データ対（ｋは１〜（１／２）ｎの整数）毎に、所定の順序で前記データドライバに供給することを特徴とする表示コントローラ。
【請求項７】
複数のデータ線と、第１〜第ｎの走査線（ｎは２以上の偶数）と、前記複数のデータ線と前記複数の走査線第１〜第ｎの走査線との交差部の各々に設けられた画素スイッチ及び画素部と、を有する表示パネルに接続され、パルス幅に応じた選択期間において前記画素スイッチをオンに制御する走査信号を前記第１〜第ｎの走査線に供給するゲートドライバであって、
前記データドライバから前記第１〜第ｎの走査線の各々までの距離に応じて異なるパルス幅を有する前記走査信号を、第ｋの走査線と第（ｎ＋１−ｋ）の走査線とからなる走査線対（ｋは１〜（１／２）ｎの整数）毎に、所定の順序で前記複数の走査線に供給することを特徴とするゲートドライバ。
【請求項８】
複数のデータ線と、第１〜第ｎの走査線（ｎは２以上の偶数）と、前記複数のデータ線と前記複数の走査線第１〜第ｎの走査線との交差部の各々に設けられた画素スイッチ及び画素部と、を有する表示パネルに接続され、映像データ信号に対応する階調電圧信号を前記複数のデータ線に供給するデータドライバであって、
第１〜第ｎの表示データからなる１フレーム分の映像データ信号の入力を受け、第１〜第ｎの表示データを、第ｋの表示データと第（ｎ＋１−ｋ）の表示データとからなる表示データ対（ｋは１〜（１／２）ｎの整数）毎に、所定の順序で前記表示データに対応する階調電圧信号を前記複数のデータ線に供給することを特徴とするデータドライバ。
【発明の詳細な説明】
【技術分野】
【０００１】
本発明は、表示装置、表示コントローラ、ゲートドライバ及びデータドライバに関する。
【背景技術】
【０００２】
液晶表示装置や有機ＥＬ（Electro Luminescence）等の表示デバイスの駆動方式として、アクティブマトリクス駆動方式が採用されている。アクティブマトリクス駆動方式の表示装置では、表示パネルは画素部及び画素スイッチをマトリクス状に配置した半導体基板から構成されている。走査信号により画素スイッチのオンオフを制御し、画素スイッチがオンになるときに映像データ信号に対応した階調電圧信号を画素部に供給して、各画素部の輝度を制御することにより、表示が行われる。走査信号はゲートドライバにより走査線に供給され、階調電圧信号の供給はデータドライバによりデータ線を介して行われる。
【０００３】
アクティブマトリクス駆動方式の液晶表示装置において、製造ばらつきによる走査線の容量や液晶容量の等の各種特性の誤差に応じた表示画像の乱れを解消するため、画素スイッチをオンオフするタイミングを表す情報を保持する保持手段を設け、装置の製造後にタイミングの指定を行うことが可能な液晶表示装置が提案されている（例えば、特許文献１）。
【先行技術文献】
【特許文献】
【０００４】
【特許文献１】特開平８−９５０００号公報
【発明の概要】
【発明が解決しようとする課題】
【０００５】
ＴＶやモニタに用いる表示装置として、４Ｋパネルや８Ｋパネル等の高解像度で且つ大画面の表示装置の需要が高まっている。表示パネルの大画面化及び高解像度化に伴い、ゲートドライバから出力される走査信号の選択期間（走査信号のパルス幅）は短くなる。一方、データドライバが駆動しなければならない表示パネルのデータ線の負荷容量が増加し、データドライバが駆動する１画素あたりの駆動期間（データ線に階調電圧信号を供給するデータ期間）も走査信号の選択期間に対応して短くなる。
【０００６】
データ線の負荷容量が大きく且つ駆動期間が短くなると、データドライバの出力回路からの出力信号は、出力回路に近いデータ線上の位置（以下、データ線近端と称する）では出力信号は信号波形の立ち上がりの鈍りがほぼない信号であるが、出力回路から遠いデータ線上の位置（以下、データ線遠端と称する）に向かって鈍りが増大し、画素電極への書込率（画素電極のターゲット電圧への到達率）が低下する。
【０００７】
具体的には、データ線近端では、データ線のインピーダンスの影響が小さく階調電圧信号の信号波形の立ち上がりの鈍りが小さいため、供給された階調電圧信号の電圧レベルをそのまま画素電極に書き込むことができる。これに対し、データ線遠端では、データ線のインピーダンスの影響を受けて信号波形の立ち上がりが大きく鈍り、１データ期間内に供給された階調電圧レベルに到達できず、供給された階調電圧信号の電圧レベルに満たない電圧レベルが画素電極に書き込まれる。このため、表示パネル内で同一階調に対する輝度差が発生し、輝度むら等の画質劣化を生じるという問題があった。
【０００８】
本発明は上記問題点に鑑みてなされたものであり、輝度むらを抑えた表示を行うことが可能な表示装置を提供することを目的とする。
【課題を解決するための手段】
【０００９】
本発明に係る表示装置は、複数のデータ線と、第１〜第ｎの走査線（ｎは２以上の偶数）と、前記複数のデータ線と前記第１〜第ｎの走査線との交差部の各々に設けられた画素スイッチ及び画素部と、を有する表示パネルと、パルス幅に応じた選択期間において前記画素スイッチをオンに制御する走査信号を前記第１〜第ｎの走査線に供給するゲートドライバと、第１〜第ｎの走査線の各々に対応する第１〜第ｎの表示データからなる１フレーム分の映像データ信号を受け、前記映像データ信号に対応する階調電圧信号を前記複数のデータ線に供給するデータドライバと、前記映像データ信号を前記データドライバに供給する表示コントローラと、を有し、前記表示コントローラは、前記第１〜第ｎの表示データを、第ｋの表示データと第（ｎ＋１−ｋ）の表示データとからなる表示データ対（ｋは１〜（１／２）ｎの整数）毎に、所定の順序で前記データドライバに供給し、前記ゲートドライバは、前記データドライバから前記第１〜第ｎの走査線の各々までの距離に応じて異なるパルス幅を有する前記走査信号を、前記所定の順序に対応する順序で前記複数の走査線に供給し、前記データドライバは、前記表示コントローラからの前記表示データ対の供給に応じて、前記階調電圧信号を前記複数のデータ線に供給することを特徴とする。
【００１０】
本発明に係る表示コントローラは、第１〜第ｎの表示データからなる１フレーム分の映像データ信号を、第ｋの表示データと第（ｎ＋１−ｋ）の表示データとからなる表示データ対毎に、所定の順序で前記データドライバに供給することを特徴とする。
【００１１】
本発明に係るゲートドライバは、複数のデータ線と、第１〜第ｎの走査線（ｎは２以上の偶数）と、前記複数のデータ線と前記複数の走査線第１〜第ｎの走査線との交差部の各々に設けられた画素スイッチ及び画素部と、を有する表示パネルに接続され、パルス幅に応じた選択期間において前記画素スイッチをオンに制御する走査信号を前記第１〜第ｎの走査線に供給するゲートドライバであって、前記データドライバから前記第１〜第ｎの走査線の各々までの距離に応じて異なるパルス幅を有する前記走査信号を、第ｋの走査線と第（ｎ＋１−ｋ）の走査線とからなる走査線対毎に、所定の順序で前記複数の走査線に供給することを特徴とする。
【００１２】
本発明に係るデータドライバは、複数のデータ線と、第１〜第ｎの走査線（ｎは２以上の偶数）と、前記複数のデータ線と前記複数の走査線第１〜第ｎの走査線との交差部の各々に設けられた画素スイッチ及び画素部と、を有する表示パネルに接続され、映像データ信号に対応する階調電圧信号を前記複数のデータ線に供給するデータドライバであって、第１〜第ｎの表示データからなる１フレーム分の映像データ信号の入力を受け、第１〜第ｎの表示データを、第ｋの表示データと第（ｎ＋１−ｋ）の表示データとからなる表示データ対毎に、所定の順序で前記表示データに対応する階調電圧信号を前記複数のデータ線に供給することを特徴とする。
【発明の効果】
【００１３】
本発明に係る表示装置によれば、表示パネル面内における輝度むらを抑えつつ表示を行うことが可能となる。
【図面の簡単な説明】
【００１４】
【図１】実施例１の表示装置の構成を示すブロック図である。
【図２】表示コントローラがデータドライバに供給する表示データの系列を模式的に示す図である。
【図３Ａ】データドライバが有するラッチ回路の構成を示す回路図である。
【図３Ｂ】シフトクロック信号及びラッチ信号を示す図である。
【図４】１フレーム期間におけるクロック信号、変調クロック信号、走査信号及びあるデータ線に供給される階調電圧信号を示すタイムチャートである。
【図５】本実施例の表示装置とは異なる比較例の表示装置における各信号を示すタイムチャートである。
【図６】データ線上の位置と階調電圧信号の最大振幅振動時の１データ期間内の画素部の充電率との関係を示す図である。
【図７Ａ】実施例２における走査信号の供給及び走査線のプリチャージを示すタイムチャートである。
【図７Ｂ】比較例における走査信号の供給及び走査線のプリチャージを示すタイムチャートである。
【発明を実施するための形態】
【００１５】
以下、本発明の実施例について、図面を参照して説明する。なお、以下の実施例における説明及び添付図面においては、実質的に同一又は等価な部分には同一の参照符号を付している。
【実施例１】
【００１６】
図１は、本実施例の表示装置１００の構成を示すブロック図である。表示装置１００は、例えばアクティブマトリクス駆動方式の液晶表示装置であり、表示パネル１１、表示コントローラ（Ｔ−ｃｏｎ）１２、データドライバ１３及びゲートドライバ１４を含む。
【００１７】
表示パネル１１は、複数の画素部Ｐ11〜Ｐnm及び画素スイッチＭ11〜Ｍnm（ｎは２以上の偶数，ｍは２以上の自然数）がマトリクス状に配置された半導体基板から構成されている。表示パネル１１は、ｎ本の走査線Ｓ1〜Ｓnと、これに交差するように配されたｍ本のデータ線Ｄ1〜Ｄmと、を有する。画素部Ｐ11〜Ｐnm及び画素スイッチＭ11〜Ｍnmは、走査線Ｓ1〜Ｓn及びデータ線Ｄ1〜Ｄmの交差部に設けられている。
【００１８】
画素スイッチＭ11〜Ｍnmは、ゲートドライバ１４から供給される走査信号Ｖｇ１〜Ｖｇｎに応じてオン又はオフに制御される。
【００１９】
画素部Ｐ11〜Ｐnmは、画素スイッチＭ11〜Ｍnmがオンのときに、データドライバ１３から階調電圧信号Ｇｖ１〜Ｇｖｍの供給を受ける。階調電圧信号Ｇｖ１〜Ｇｖｍは、映像データ信号ＶＤに対応した信号である。階調電圧信号Ｇｖ１〜Ｇｖｍに応じて画素部Ｐ11〜Ｐnmの輝度が制御され、表示が行われる。
【００２０】
表示装置１００が液晶表示装置である場合、画素部Ｐ11〜Ｐnmの各々は、図示せぬ透明電極と、半導体基板と対向して設けられ且つ面全体に１つの透明な電極が形成された対向基板との間に封入された液晶と、を含む。表示装置内部のバックライトに対して、画素部Ｐ11〜Ｐnmに供給された階調電圧信号Ｇｖ１〜Ｇｖｍと対向基板電圧との電位差に応じて液晶の透過率が変化することにより、表示が行われる。
【００２１】
表示コントローラ１２は、１フレーム分の入力映像信号ＶＳを保持する１フレームメモリ１５Ａを含む。表示コントローラ１２は、Ｓ1〜Ｓnの各走査線上の画素の輝度レベルを表す第１〜第ｎの表示データＰＤを１フレーム分の入力映像信号ＶＳから抽出し、表示データＰＤの系列を含む映像データ信号ＶＤを生成して、データドライバ１３に供給する。
【００２２】
表示コントローラ１２は、データドライバ１３に近い走査線の１つとデータドライバ１３から遠い走査線の１つとを組み合わせ、当該組み合わせに係る走査線に対応する表示データＰＤ（すなわち、走査線上の画素部に供給される表示データＰＤ）同士が連続するように表示データの順序を構成し、これを映像データ信号ＶＤとしてデータドライバ１３に供給する。具体的には、表示コントローラ１２は、走査線Ｓkに対応する第ｋの表示データと走査線Ｓ(n+1-k)に対応する第（ｎ＋１−ｋ）の表示データとからなる表示データ対（ｋは１〜（１／２）ｎの整数）毎に、表示データＰＤをデータドライバ１３に供給する。
【００２３】
図２は、表示コントローラ１２がデータドライバ１３に供給する表示データＰＤの系列（すなわち、映像データ信号ＶＤ）の構成を示す図である。表示データＰＤは、スタートパルスやコンフィグデータ等を含むオーバーヘッドＯＨと、実データと、ダミーデータＤＤと、から構成されている。走査線Ｓ1に対応する第１の表示データＰＤと走査線Ｓnに対応する第ｎの表示データＰＤとを組み合わせ、２水平走査ライン分の表示データとする。同様に、表示コントローラ１２は、走査線Ｓ2に対応する第２の表示データＰＤと走査線Ｓn-1に対応する第ｎ−１の表示データＰＤ、走査線Ｓ3に対応する第３の表示データＰＤとＳn-2に対応する第ｎ−２の表示データＰＤ、・・・のようにデータドライバ１３からの距離が近い走査線と遠い走査線とに対応する表示データＰＤを組み合わせ、各組の２本の走査線に対応する表示データＰＤをそれぞれ２水平走査ライン分の表示データとする。これにより、映像データ信号ＶＤでは、走査線Ｓ1、Ｓn、Ｓ2、Ｓn-1、Ｓ3・・・の順に各走査線に対応する表示データＰＤが配列される。
【００２４】
また、表示コントローラ１２は、各表示データＰＤをデータドライバ１３に供給するタイミングを示す信号として、クロックパルス間の期間（以下、クロック期間と称する）が、データドライバ１３から各表示データＰＤに対応する走査線（すなわち、各表示データＰＤの供給先である走査線）までの距離に応じて異なるような出力クロック信号ＯＣＬＫを生成する。そして、表示コントローラ１２は、出力クロック信号ＯＣＬＫのクロックタイミングに応じて、表示データＰＤ（すなわち、映像データ信号ＶＤ）をデータドライバ１３に供給する。
【００２５】
図２に示すように、走査線Ｓ1に対応する表示データＰＤの供給タイミングを示すクロック期間ＳＣＰ１は、走査線Ｓnに対応する表示データＰＤの供給タイミングを示すクロック期間ＳＣＰｎよりも短い。クロック期間の長さはデータドライバ１３から各表示データＰＤに対応する走査線までの距離に応じて異なるため、ＳＣＰ１＜ＳＣＰ２＜ＳＣＰ３・・・＜ＳＣＰｎ−１＜ＳＣＰｎとなる。また、クロック期間ＣＰ１とクロック期間ＳＣＰｎとを加えた期間の長さは、クロック期間ＳＣＰ２とクロック期間ＳＣＰｎ−１（図示せず）とを加えた期間の長さと等しい。すなわち、ＳＣＰ１＋ＳＣＰｎ＝ＳＣＰ２＋ＳＣＰｎ−１＝ＳＣＰ３＋ＳＣＰｎ−２＝・・・となる。
【００２６】
再び図１を参照すると、表示コントローラ１２は制御信号ＣＳをデータドライバ１３及びゲートドライバ１４に供給する。また、表示コントローラ１２は、クロック信号ＣＬＫの供給を受け、クロック信号ＣＬＫに基づいてゲートドライバ１４による走査信号のパルス幅を定める変調クロック信号ＭＣＬＫを生成し、ゲートドライバ１４に供給する。
【００２７】
データドライバ１３は、表示コントローラ１２から表示データＰＤの系列からなる映像データ信号ＶＤの供給を受け、データ線Ｄ1〜Ｄmを介して表示データＰＤに応じた階調電圧信号Ｇｖ１〜Ｇｖｍを画素部Ｐ11〜Ｐnmに供給する。データドライバ１３は、階調数に応じた多値レベルの階調電圧信号Ｇｖ１〜Ｇｖｍをデータ線Ｄ1〜Ｄmに供給する。
【００２８】
図３Ａは、データドライバ１３が有するラッチ回路１３１の構成を示す回路図である。ラッチ回路１３１は、第１ラッチ部Ｌ１、第２ラッチ部Ｌ２及び第３ラッチ部Ｌ３から構成されている。データドライバ１３は、ｍチャネル分の同様のラッチ回路１３１を有する。
【００２９】
図３Ｂは、ラッチ回路１３１のラッチ動作のタイミングを制御するシフトクロック信号ＳＣＬＫ、ラッチ信号ＷＲ２＿Ｎ、ＷＲ２＿Ｆ、ＷＲ３＿Ｎ及びＷＲ３＿Ｆを示している。シフトクロック信号ＳＣＬＫは、データドライバ１３から近い走査線に供給する表示データＰＤの取り込みタイミングを示すクロックパルスＣＰ１ａ、ＣＰ２ａ、・・・と、データドライバ１３から遠い走査線に供給する表示データＰＤの取り込みタイミングを示すクロックパルスＣＰ１ｂ、ＣＰ２ｂ、・・・と、を有する。
【００３０】
ラッチ信号ＷＲ２＿Ｎは、シフトクロック信号ＳＣＬＫのクロックパルスＣＰ１ａ、ＣＰ２ａ、・・・をシフトした信号である。ラッチ信号ＷＲ２＿Ｆは、シフトクロック信号ＳＣＬＫのクロックパルスＣＰ１ｂ、ＣＰ２ｂ、・・・をシフトした信号である。ラッチ信号ＷＲ３＿Ｎ及びＷＲ３＿Ｆは、それぞれラッチ信号ＷＲ２＿Ｎ及びＷＲ２＿Ｆをシフトした信号である。
【００３１】
再び図３Ａを参照すると、第１ラッチ部Ｌ１は、インバータＩＶ１１及びＩＶ１２と、トランスミッションゲートＴ１１及びＴ１２と、を含む。第１ラッチ部Ｌ１には、１ビット分の表示データＰＤがシフトクロックＳＣＬＫに応じて取り込まれる。第１ラッチ部Ｌ１は、データを逐次溜め込む機能を有する。
【００３２】
第２ラッチ部Ｌ２は、インバータＩＶ２１ａ、ＩＶ２２ａ、トランスミッションゲートＴ２１ａ及びＴ２２ａからなる近端側ラッチ部と、インバータＩＶ２１ｂ、ＩＶ２２ｂ、トランスミッションゲートＴ２１ｂ及びＴ２２ｂからなる遠端側ラッチ部と、を含む。近端側ラッチ部では、表示データＰＤのうちデータドライバ１３に近い側（以下、データ線近端と称する）の走査線に対応するデータが、ラッチ信号ＷＲ２＿Ｎに応じて取り込まれる。遠端側ラッチ部では、表示データＰＤのうちデータドライバ１３から遠い側（以下、データ線遠端と称する）の走査線に対応するデータが、ラッチ信号ＷＲ２＿Ｆに応じて取り込まれる。第２ラッチ部Ｌ２は、データを確定させる機能を有する。
【００３３】
第３ラッチ部Ｌ３は、インバータＩＶ３１及びＩＶ３２と、トランスミッションゲートＴ３１ａ、Ｔ３１ｂ及びＴ３２と、を含む。第３ラッチ部Ｌ３には、ラッチ信号ＷＲ３＿Ｎに応じてデータ線近端の走査線に対応するデータが取り込まれ、ラッチ信号ＷＲ３＿Ｆに応じてデータ線遠端の走査線に対応するデータが取り込まれる。取り込まれた近端側のデータ及び遠端側のデータは、ＤＣコンバータ等の次段の回路に交互に出力される。第３ラッチ部Ｌ３は、データの出力タイミングを制御する機能を有する。
【００３４】
かかる構成によれば、データドライバ１３が有するラッチ回路１３１は、２水平走査ライン分の表示データＰＤ毎に表示コントローラ１１から伝送されたデータを溜め込み、１水平走査ラインずつデータを出力することができる。
【００３５】
再び図１を参照すると、ゲートドライバ１４は、表示コントローラ１２から変調クロック信号ＭＣＬＫ及び制御信号ＣＳの供給を受け、これに応じて走査信号Ｖｇ１〜Ｖｇｎを走査線Ｓ1〜Ｓnに供給する。ゲートドライバ１４は、少なくとも２値の走査信号Ｖｇ１〜Ｖｇｎを走査線Ｓ1〜Ｓnに供給する。
【００３６】
走査信号Ｖｇ１〜Ｖｇｎは、変調クロック信号ＭＣＬＫに基づいて、データ線近端の走査線に対応する走査信号のパルス幅が短く、データ線遠端の走査線に対応する走査信号のパルス幅が長くなるように生成される。すなわち、走査信号Ｖｇ１〜Ｖｇｎの各々のパルス幅は、Ｖｇ１＜Ｖｇ２＜Ｖｇ３・・・＜Ｖｇｎとなる。走査信号Ｖｇ１〜Ｖｇｎのパルス幅は、画素スイッチＭ11〜Ｍnmの選択期間となる。
【００３７】
また、ゲートドライバ１４は、データ線近端の走査線に対する走査信号の供給と、データ線遠端の走査線に対する走査信号の供給とを交互に行う。具体的には、ゲートドライバ１４は、走査線Ｓ1、Ｓn、Ｓ2、Ｓn-1、Ｓ3、Ｓn-2・・・の順番で各走査線に対応する走査信号Ｖｇ１〜Ｖｇｎを供給する。
【００３８】
１フレーム期間毎に１画面分の映像データ信号の書き換えが行われ、走査線Ｓ1〜Ｓnに対応する画素行毎に画素部Ｐ11〜Ｐnmが選択され、データ線Ｄ1〜Ｄmを介して階調電圧信号Ｇｖ１〜Ｇｖｍが画素部Ｐ11〜Ｐnmに供給される。以下の説明では、画素部Ｐ11〜Ｐnmへの階調電圧信号Ｇｖ１〜Ｇｖｍの供給を、「階調電圧信号の画素電極への書き込み」とも称する。
【００３９】
図４は、本実施例の表示装置１００の１フレーム期間ＴＦにおけるクロック信号ＣＬＫ、変調クロック信号ＭＣＬＫ、走査信号Ｖｇ１〜Ｖｇｎ、及びあるデータ線Ｄｘに供給される階調電圧信号Ｇｖｘを示すタイムチャートである。
【００４０】
変調クロック信号ＭＣＬＫは、表示コントローラ１２において、クロック信号ＣＬＫのクロックパルスを所定数カウントすることにより生成される。変調クロック信号ＭＣＬＫは、１フレーム期間ＴＦの開始直後ではパルス幅が短く、クロックパルスの間隔が長い。そして、変調クロック信号ＭＣＬＫは、１フレーム期間ＴＦの後半に向かうにつれてパルス幅が長くなり、クロックパルスの間隔が短くなるように変化する。
【００４１】
一方、変調クロック信号ＭＣＬＫを反転させた反転変調クロック信号ＩＭＣＬＫは、１フレーム期間ＴＦの開始直後ではパルス幅が長く、クロックパルスの間隔が短い。そして、反転変調クロック信号ＩＭＣＬＫは、１フレーム期間ＴＦの後半に向かうにつれてパルス幅が短くなり、クロックパルスの間隔が長くなるように変化する。
【００４２】
変調クロック信号ＭＣＬＫのパルス幅は、データ線近端の走査信号Ｖｇ１、Ｖｇ２、Ｖｇ３・・・のパルス幅となる。このため、データ線近端では走査信号Ｖｇ１〜Ｖｇｎの選択期間及び階調電圧信号Ｇｖ１〜Ｇｖｍの１データ期間が短くなる。
【００４３】
反転変調クロック信号ＩＭＣＬＫのパルス幅は、データ線遠端の走査信号Ｖｇｎ、Ｖｇｎ−１、Ｖｇｎ−２・・・のパルス幅となる。このため、データ線遠端では走査信号Ｖｇ１〜Ｖｇｎの選択期間及び階調電圧信号Ｇｖ１〜Ｇｖｍの１データ期間が長くなる。
【００４４】
ゲートドライバ１４は、表示パネル１１のデータドライバ１３に近い側から１番目の走査線Ｓ1、ｎ番目の走査線Ｓn、２番目の走査線Ｓ2、ｎ−１番目の走査線Ｓn、・・・の順番で走査信号Ｖｇ１〜Ｖｇｎを供給する。これにより、走査信号Ｖｇ１〜Ｖｇｎによる画素スイッチＭ11〜Ｍnmの選択は、１フレーム期間内にデータドライバ１３に近い側の走査線Ｓ1、遠い側の走査線Ｓn、近い側の走査線Ｓ2、遠い側の走査線Ｓn-1、・・・と交互に行われる。
すなわち、データドライバ１３に近い側の画素行（1st_column）、遠い側の画素行（nth_column）、近い側の画素行（2nd_column）、遠い側の画素行（n-1th_column）、と交互に画素スイッチＭ11〜Ｍnmが順次オンとなり、データドライバ１３からデータ線Ｄ1〜Ｄmの各々に供給された階調電圧信号Ｇｖ１〜Ｇｖｍが画素行単位で順次各画素電極に書き込まれる。
【００４５】
図４に示す階調電圧信号Ｇｖｘ（Ｓ1）及びＧｖｘ（Ｓn）は、データ線Ｄ1〜Ｄmのうちのあるデータ線Ｄｘにおいて、各走査信号Ｖｇ１〜Ｖｇｎの選択期間に対応した階調電圧信号Ｇｖｘの波形（実線）を表している。なお、階調電圧信号Ｇｖｘは、階調レベルに対応した多値レベルの電圧信号であるが、説明の便宜上、ここでは振幅が最大の波形パターンであって選択期間に電圧レベルが最大となる波形を示している。また、階調電圧信号の理想パルス波形を破線で示している。各走査信号Ｖｇ１〜Ｖｇｎの選択期間と階調電圧信号Ｇｖｘ（Ｓ1）及びＧｖｘ（Ｓn）のデータ期間との間には、所定のタイミング差ｄｈが設けられている。
【００４６】
階調電圧信号Ｇｖｘは、データ線Ｄ1〜Ｄmを介して各画素電極に書き込まれる。そのため、階調電圧信号Ｇｖｘは、データ線インピーダンスの影響を受けて信号波形の立ち上がりに鈍りが生じる。特にデータ線遠端では、データ線近端と比べてデータ線のインピーダンスの影響が大きく、階調電圧信号の信号波形の立ち上がりの鈍りが大きい。
【００４７】
図５は、本実施例の表示装置１００とは異なり、１フレーム期間ＴＦ内において一定のパルス幅及びパルス間隔を有するクロック信号ＣＬＫに基づいて動作を行う標準的な表示装置における各信号を比較例として示すタイムチャートである。
【００４８】
１フレーム期間ＴＦの開始直後の走査信号Ｖｇ１、Ｖｇ２で選択される階調電圧信号Ｇｖｘは、データドライバに近い側（以下、データ線近端と称する）における階調電圧信号であり、データ線インピーダンスの影響が小さいため、階調電圧信号Ｇｖｘの信号波形の立ち上がりの鈍りが小さく、供給された階調電圧信号Ｇｖｘの電圧レベルをそのまま画素電極に書き込むことが出来る。また、１フレーム期間ＴＦの中間付近の走査信号Ｖｇｋで選択される階調電圧信号Ｇｖｘは、データ線中間における階調電圧信号であるため、データ線インピーダンスの影響を受けて波形（信号レベルの上昇度合い）が鈍るが、データドライバから供給された階調電圧信号Ｇｖｘの電圧レベルに選択期間Ｔｈの後半で到達し、当該電圧レベルを画素電極に書き込むことができる。
【００４９】
一方、フレーム期間ＴＦの終了手前の走査信号Ｖｇｎで選択される階調電圧信号Ｇｖｘは、データドライバから遠い側（以下、データ線遠端と称する）における階調電圧信号であるため、データ線インピーダンスの影響を大きく受けて信号波形の立ち上がりの鈍りが大きくなり、１データ期間内に供給された階調電圧レベルに到達できず、供給された階調電圧信号Ｇｖｘの電圧レベルに満たない電圧レベルが画素電極に書き込まれる。このため、データ線遠端付近では、画素電極に対する書き込み不足が生じ、表示パネルにおいて輝度差が生じてしまう。
【００５０】
再び図４を参照すると、本実施例の表示装置１００では、データ線近端の走査線に対応する走査信号Ｖｇ１の選択期間及び階調電圧信号Ｇｖｘ（Ｓ1）の１データ期間（Ｔｈ１として示す）は、図５の比較例における標準的な１データ期間Ｔｈよりも比較的に短い期間に設定される。しかし、データ線近端における階調電圧信号Ｇｖｘは、データ線インピーダンスの影響が小さく、信号波形の立ち上がりの鈍りは小さい。従って、１データ期間Ｔｈ１が短くなっても、供給された階調電圧信号Ｇｖｘの電圧レベルをそのまま画素電極に書き込むことができる。
【００５１】
一方、データ線遠端の走査線に対応する走査信号Ｖｇｎの選択期間及び階調電圧信号Ｇｖｘ（Ｓn）の１データ期間（Ｔｈｎとして示す）は、図５の比較例における標準的な１データ期間Ｔｈよりも比較的に長い期間に設定される。走査信号Ｖｇｎで選択される階調電圧信号Ｇｖｘ（Ｓn）は、データ線遠端における階調電圧信号であるため、データ線インピーダンスの影響を大きく受けて波形が大きく鈍る。しかしながら、１データ期間Ｔｈｎが長くなるため、データドライバ１３から供給された階調電圧信号Ｇｖｘの電圧レベルに１データ期間Ｔｈｎ内で到達することができ、当該電圧レベルを画素電極に書き込むことができる。
【００５２】
以上のように、本実施例の表示装置１００では、ゲートドライバ１４が、データドライバ１３からの距離が近い走査線（Ｓ1、Ｓ2・・・）に対してはパルス幅の短い走査信号（Ｖｇ１、Ｖｇ２・・・）を供給し、データドライバ１３からの距離が遠い走査線（Ｓn、Ｓn-1・・・）に対してはパルス幅の長い走査信号（Ｖｇｎ、Ｖｇｎ−１・・・）を供給する。これにより、データドライバ１３から遠い側の画素部では、選択期間及びデータ期間が広がる。従って、データ線インピーダンスの影響により階調電圧信号Ｇｖ１〜Ｇｖｍの波形（信号レベルの上昇度合い）が鈍った場合でも、画素電極への書き込み電圧が所望のレベル（データドライバ１３から供給された階調電圧の電圧レベル）に到達する。
【００５３】
図６は、データ線上の位置と階調電圧信号Ｇｖｘの最大振幅振動時の１データ期間内の画素部の充電率との関係を示す図である。比較例（図５）のように階調電圧信号Ｇｖｘの１データ期間の長さがデータドライバからの距離に関わらず一定である場合、図６に破線（Ａ）で示すように、データ線遠端の画素部では階調電圧信号Ｇｖｘの鈍りにより充電率が低下する。これに対し、本実施例（図４）のように階調電圧Ｇｖｘの１データ期間をデータドライバからの距離に応じた長さとした場合、図６に実線（Ｂ）で示すように、データ線近端の画素部の充電率が引き下げられるとともにデータ線遠端の画素部の充電率が引き上げられ、データ線近端と遠端との間の画素部の充電率の差を縮めることができる。これにより、画素部の充電率の差によって生じるパネル内の輝度むらを改善し、高品質の画質を実現することができる。
【００５４】
また、上記のようにデータ線近端の走査線に対して走査信号のパルス幅を狭くし、画素スイッチの選択期間を短くする場合、データ線近端の走査線上の画素に対応する画素データをデータドライバに読み込む時間も短くなる。このため、通常は表示コントローラとデータドライバとの間のインタフェースには高速伝送が必要となり、電力消費も大きくなる。
【００５５】
この点、本実施例の表示装置１００では、ゲートドライバ１４は、走査線Ｓ1〜Ｓnの外側（表示パネル１１の外縁部）から内側（表示パネル１１の中央部）に向かうように、データドライバ１３に近い走査線及びデータドライバ１３から遠い走査線に対して交互に走査信号Ｖｇ１〜Ｖｇｎを供給する。そして、表示コントローラ１２は、走査信号Ｖｇ１〜Ｖｇｎの供給の順番に対応して、走査線Ｓ1、Ｓn、Ｓ2、Ｓn-1、Ｓ3・・・の順に各走査線に対応する表示データＰＤが配列された映像データ信号ＶＤをデータドライバ１３に供給する。データドライバ１３からの距離が近い走査線と遠い走査線とを組み合わせ、各組の２本の走査線に対応する表示データＰＤをそれぞれ２水平走査ライン分の表示データとしているため、一定のパルス幅を有する走査信号を供給する比較例の表示装置と比べても、同等の伝送時間で表示コントローラ１２からデータドライバ１３への表示データＰＤの伝送を行うことができる。従って、高速伝送の必要がないため、電力消費を抑えることができる。
【００５６】
以上のように、本実施例の表示装置１００によれば、電力消費を抑えつつデータ線インピーダンスの影響に起因する輝度むらを抑えた表示を行うことが可能となる。
【実施例２】
【００５７】
次に、実施例２の表示装置について説明する。本実施例の表示装置は、図１に示す実施例１の表示装置１００と同様の構成を有し、走査線Ｓ1〜Ｓnのプリチャージ動作を行う点で実施例１の表示装置１００と異なる。
【００５８】
本実施例のゲートドライバ１４は、実施例１と同様に、データドライバ１３からの距離が近い走査線及び遠い走査線に対して交互に走査信号Ｖｇ１〜Ｖｇｎを供給するとともに、データドライバ１３からの距離に応じて異なるパルス幅（すなわち、データドライバ１３から近い走査線に対してはパルス幅が短く、遠い走査線に対してはパルス幅が長い）の走査信号を供給する。その際、ゲートドライバ１４は、走査信号を供給する走査線に隣接する走査線のプリチャージを行う。
【００５９】
図７Ａは、本実施例のゲートドライバ１４による走査信号の供給及び走査線のプリチャージを示すタイムチャートである。
【００６０】
ゲートドライバ１４は、走査線Ｓ1に走査信号Ｖｇ１を供給するとともに走査線Ｓ2のプリチャージを行い、走査線Ｓnに走査信号Ｖｇｎを供給するとともに走査線Ｓn-1のプリチャージを行う。そして、ゲートドライバ１４は、走査線Ｓ2に走査信号Ｖｇ２を供給するとともに走査線Ｓ3のプリチャージを行い、走査線Ｓn-1に走査信号Ｖｇｎ−１を供給するとともに走査線Ｓn-2のプリチャージを行う。
【００６１】
このように、本実施例のゲートドライバ１４は、データ線近端の走査線に走査信号を供給する際には、その走査線の内側（データ線遠端に向う側）に隣接する走査線のプリチャージを行う。また、ゲートドライバ１４は、データ線遠端の走査線に走査信号を供給する際には、その走査線の内側（データ線近端に向う側）に隣接する走査線のプリチャージを行う。従って、各走査線のプリチャージは、走査信号が供給される直前ではなく、それよりも所定期間前（例えば、走査線Ｓ1に対するプリチャージは走査信号Ｖｇ１の供給よりも期間Ｔｈｎ前）に行われる。
【００６２】
図７Ｂは、本実施例とは異なり、走査線Ｓ1〜Ｓnへのプリチャージを走査信号Ｖｇ１〜Ｖｇｎの供給の直前に行う比較例のタイムチャートである。実施例１と同様に走査線Ｓ1〜Ｓnの外側から内側に向かって交互に、データドライバ１３からの距離に応じて異なるパルス幅の走査信号Ｖｇ１〜Ｖｇｎを供給する場合、走査信号の供給の直前にプリチャージを行おうとすると、データドライバ１３からの距離が遠い走査線については短い期間でしかプリチャージを行うことができない。また、走査信号を供給する走査線とプリチャージを行う走査線とが離れている場合、画像表示において残像のような映り込みが発生してしまうおそれがある。
【００６３】
これに対し、本実施例のプリチャージ動作によれば、プリチャージを行う走査線が走査線を供給する走査線と隣接しているため、プリチャージが画像表示に及ぼす残像等の影響を抑えることができる。また、データドライバ１３から遠い走査線に対しても十分なプリチャージを行うことができる。
【００６４】
なお、本発明は上記実施形態に限定されない。例えば、上記実施例では、表示装置１００が液晶表示装置である場合について説明したが、これとは異なり、有機ＥＬ（Electro Luminescence）表示装置であっても良い。表示装置１００が有機ＥＬ表示装置である場合、画素部Ｐ11〜Ｐnmの各々は、有機ＥＬ素子と、有機ＥＬ素子に流す電流を制御する薄膜トランジスタと、を備える。画素部Ｐ11〜Ｐnmに供給された階調電圧信号Ｇｖ１〜Ｇｖｍに応じて薄膜トランジスタが有機ＥＬ素子に流す電流を制御し、その電流に応じて有機ＥＬ素子の発光輝度が変化することにより、表示が行われる。有機ＥＬ表示装置においても、本発明を適用することにより、輝度むらを抑えた表示を行うことが可能となる。
【００６５】
また、上記実施例１では、ゲートドライバ１４がデータドライバ１３に近い走査線及びデータドライバ１３から遠い走査線に対して交互に走査信号Ｖｇ１〜Ｖｇｎを供給する際、走査線Ｓ1、Ｓn、Ｓ2、Ｓn-1、Ｓ3・・・の順に、走査線Ｓ1〜Ｓnの外側から内側に向かうように走査信号Ｖｇ１〜Ｖｇｎを供給する場合を例として説明した。しかし、これとは逆に、走査線Ｓ1〜Ｓnの内側から外側に向かうように、データドライバ１３に近い走査線及びデータドライバ１３から遠い走査線に対して交互に走査信号を供給しても良い。すなわち、ゲートドライバ１４は、データ線近端の走査線及びデータ線遠端の走査線に対して、交互に所定の順序で走査信号Ｖｇ１〜Ｖｇｎを供給するものであれば良い。また、表示コントローラ１２は、これに応じた所定の順序で、第ｋの表示データと第（ｎ＋１−ｋ）の表示データとからなる表示データ対（ｋは１〜（１／２）ｎの整数）毎に表示データＰＤをデータドライバ１３に供給するものであれば良い。
【００６６】
また、上記実施例では、ラッチ回路１３１がトランスミッションゲートから構成されるスイッチを有する場合について説明した。しかし、これに限られず、エッジトリガータイプのスイッチ等の他のスイッチを有していても良い。
【００６７】
また、データドライバ１３及びゲートドライバ１４は、夫々単一のドライバＬＳＩとして構成されていても良く、複数のドライバＬＳＩに分かれて構成されていても良い。
【００６８】
また、表示パネル１１は、カラーＦＨＤ（Full High Definition）パネルであっても良く、４Ｋパネルや８Ｋパネルであっても良い。
【符号の説明】
【００６９】
１００  表示装置
１１  表示パネル
１２  表示コントローラ
１３  データドライバ
１４  ゲートドライバ
１３１  ラッチ回路
【図１】
2020003550.tif 000003
【図２】
2020003550.tif 000004
【図３Ａ】
2020003550.tif 000005
【図３Ｂ】
2020003550.tif 000006
【図４】
2020003550.tif 000007
【図５】
2020003550.tif 000008
【図６】
2020003550.tif 000009
【図７Ａ】
2020003550.tif 000010
【図７Ｂ】
2020003550.tif 000011